(57)【特許請求の範囲】
【請求項１】
第１のデバイスは、少なくとも２種類の変調方式の第１のオーディオデータのフレームストリームを生成するように、送信する第１のオーディオデータを、前記第１のデバイスの対応できる少なくとも２種類の変調方式によってそれぞれ変調することと、
前記第１のデバイスは、前記少なくとも２種類の変調方式の第１のオーディオデータのフレームストリームを一つの第１のオーディオデータストリームとして接合することと、
前記第１のオーディオデータストリームを、前記第１のデバイスのオーディオインターフェイスを介して第２のデバイスに送信することと、
前記第２のデバイスは、受信された前記第１のオーディオデータストリームを復調して、正しく受信された前記第１のデバイスの対応できる変調方式を取得することと、
前記第２のデバイスは、少なくとも２種類の変調方式の第２のオーディオデータのフレームストリームを生成するように、取得された正しく受信された第１のデバイスの対応できる変調方式を含む送信する第２のオーディオデータを、前記第２のデバイスの対応できる少なくとも２種類の変調方式によって変調することと、
前記第２のデバイスは、前記少なくとも２種類の変調方式の第２のオーディオデータのフレームストリームを一つの第２のオーディオデータストリームとして接合し、且つ、前記第２のオーディオデータストリームを、前記第２のデバイスのオーディオインターフェイスを介して前記第１のデバイスに送信することと、
前記第１のデバイスは、受信された前記第２のオーディオデータストリームを復調して、正しく受信された前記第２のデバイスの対応できる変調方式を取得し、且つ、前記第２のデバイスにより、正しく受信された前記第１のデバイスの対応できる変調方式を取得することと、
前記第１のデバイスは、予め設定された規則に従って、前記第２のデバイスにより、正しく受信された前記第１のデバイスの対応できる変調方式から、前記第２のデバイスへの送信に使用される最適な変調方式を選択するとともに、前記第１のデバイスにより、正しく受信された前記第２のデバイスの対応できる変調方式から前記第１のデバイスへの送信に使用される最適な変調方式を選択することと、
を含むオーディオ通信変調方式の自己適応方法。
【請求項２】
前記の、前記第１のオーディオデータストリームを、前記第１のデバイスのオーディオインターフェイスを介して第２のデバイスに送信すること、及び前記第２のオーディオデータストリームを、前記第２のデバイスのオーディオインターフェイスを介して前記第１のデバイスに送信することは、
前記第１のデバイスのオーディオインターフェイスを介して同一時間基準システムを利用して１回のインターアクションで前記第１のオーディオデータストリームを第２のデバイスに送信すること、及び前記第２のデバイスのオーディオインターフェイスを介して同一時間基準システムを利用して１回のインターアクションで前記第２のオーディオデータストリームを前記第１のデバイスに送信することを含み、
前記同一時間基準システムとは、予め設定された基準時刻に対する各変調波形の時間帯の開始時刻および/または終了時刻の時間の長さは予め設定された値である、
ことを特徴とする請求項1に記載の方法。
【請求項３】
前記第２のデバイスは、受信された前記第１のオーディオデータストリームを復調して、正しく受信された前記第１のデバイスの対応できる変調方式を取得することは、
前記第２のデバイスは、前記第１のオーディオデータストリームを復調して、予め設定された基準時刻に基づいて各変調波形の開始時刻を検出して、前記開始時刻に基づいて前記変調波形を復調して、前記第１のオーディオデータを取得して、予め設定された規則に従って前記第１のオーディオデータは正しいかどうかを判断し、正しい場合、正しく受信された前記第１のデバイスの対応できる変調方式を取得することを含み、または、
前記第１のデバイスは、受信された前記第２のオーディオデータストリームを復調して、正しく受信された前記第２のデバイスの対応できる変調方式を取得し、且つ、前記第２のデバイスにより正しく受信された前記第１のデバイスの対応できる変調方式を取得することは、
前記第１のデバイスは、前記第２のオーディオデータストリームを復調して、予め設定された基準時刻に基づいて各変調波形の開始時刻を検出して、前記開始時刻に基づいて前記変調波形を復調して、前記第２のオーディオデータを取得して、予め設定された規則に従って前記第２のオーディオデータは正しいかどうかを判断し、正しい場合、正しく受信された前記第２のデバイスの対応できる変調方式を取得することを含む、
ことを特徴とする請求項2に記載の方法。
【請求項４】
前記の、前記第１のオーディオデータストリームを、前記第１のデバイスのオーディオインターフェイスを介して第２のデバイスに送信すること、及び前記第２のオーディオデータストリームを、前記第２のデバイスのオーディオインターフェイスを介して前記第１のデバイスに送信することはさらに、
前記第１のデバイスのオーディオインターフェイスを介して異なる時間基準システムを利用して１回のインターアクションで前記第１のオーディオデータストリームを第２のデバイスに送信すること及び前記第２のデバイスのオーディオインターフェイスを介して異なる時間基準システムを利用して１回のインターアクションで前記第２のオーディオデータストリームを前記第１のデバイスに送信することを含み、
前記異なる時間基準システムとは、各変調波形の開始時刻は、同期ヘッダ情報により取得される、
ことを特徴とする請求項1に記載の方法。
【請求項５】
前記第１のデバイスは、前記第１のオーディオデータのフレームストリームを生成すること、及び前記第２のデバイスは、前記第２のオーディオデータのフレームストリームを生成することはさらに、
前記第１のデバイスは、前記送信する第１のオーディオデータを前記第１のオーディオデータのフレームストリームに変調し、且つ、同期ヘッダ情報を生成し、各変調波形の開始時刻を指示するように生成された同期ヘッダ情報を前記第１のオーディオデータのフレームストリームに付加すること、及び前記第２のデバイスは、前記送信する第２のオーディオデータを前記第２のオーディオデータのフレームストリームに変調し、且つ、同期ヘッダ情報を生成し、各変調波形の開始時刻を指示するように生成された同期ヘッダ情報を前記第２のオーディオデータのフレームストリームに付加することを含む、
ことを特徴とする請求項4に記載の方法。
【請求項６】
前記第２のデバイスは、受信された前記第１のオーディオデータストリームを復調して、正しく受信された前記第１のデバイスの対応できる変調方式を取得することは、
前記第２のデバイスは、前記第１のデバイスにより送信された第１のオーディオデータストリームを復調して、各前記第１のデバイスの対応できる変調方式によって変調された変調波形の同期ヘッダをそれぞれに検出して、各変調波形の同期情報を取得し、且つ、前記同期情報に基づいて各変調波形の開始時刻を検出して、前記開始時刻情報に基づいて前記変調波形を復調して、前記第１のオーディオデータを取得し、予め設定された規則に従って前記第１のオーディオデータは正しいかどうかを判断し、正しい場合、正しく受信された前記第１のデバイスの対応できる変調方式を取得することを含み、または、
前記第１のデバイスは、受信された前記第２のオーディオデータストリームを復調して、正しく受信された前記第２のデバイスの対応できる変調方式を取得し、且つ、前記第２のデバイスにより正しく受信された前記第１のデバイスの対応できる変調方式を取得することは、
前記第１のデバイスは、前記第２のデバイスにより送信された第２のオーディオデータストリームを復調して、各前記第２のデバイスの対応できる変調方式によって変調された変調波形の同期ヘッダをそれぞれに検出して、各変調波形の同期情報を取得し、且つ、前記同期情報に基づいて各変調波形の開始時刻を検出して、前記開始時刻情報に基づいて前記変調波形を復調して、前記第２のオーディオデータを取得し、予め設定された規則に従って前記第２のオーディオデータが正しいかどうかを判断し、正しい場合、正しく受信された前記第２のデバイスの対応できる変調方式を取得することを含む、
ことを特徴とする請求項5に記載の方法。
【請求項７】
前記第１のデバイスは、第３のオーディオデータのフレームストリームを生成するように、選択された前記第２のデバイスにより使用される最適な変調方式及び前記第１のデバイスにより使用される最適な変調方式を含む第３のオーディオデータを、又は選択された前記第２のデバイスにより使用される最適な変調方式、前記第１のデバイスにより使用される最適な変調方式、及び送信するオーディオデータを含む第３のオーディオデータを、前記第２のデバイスへの送信に使用される最適な変調方式によって変調することと、
前記第１のデバイスは、前記第３のオーディオデータのフレームストリームを、前記第１のデバイスのオーディオインターフェイスを介して前記第２のデバイスに送信することと、をさらに含み、
前記第２のデバイスは、受信された前記第３のオーディオデータのフレームストリームに基づいて前記第２のデバイスにより使用される最適な変調方式と、前記第１のデバイスにより使用される最適な変調方式、を取得し、応答用オーディオデータを、前記第２のデバイスにより使用される最適な変調方式によって変調し、前記第１のデバイスに送信する、
ことを特徴とする請求項1乃至6のいずれか１項に記載の方法。
【請求項８】
前記第１のオーディオデータはさらに、前記第１のデバイスの対応できる少なくとも２種類の変調方式の識別情報を含み、
前記第２のオーディオデータは、前記第２のデバイスにより、取得された正しく受信された第１のデバイスの対応できる変調方式の識別情報と、前記第２のデバイスの対応できる少なくとも２種類の変調方式の識別情報を含む、
ことを特徴とする請求項1乃至7のいずれか１項に記載の方法。
【請求項９】
第１のデバイスと第２のデバイスとを含むオーディオ通信変調方式の自己適応システムにおいて、
前記第１のデバイスと前記第２のデバイスの間はオーディオインターフェイスを介して接続されており、
前記第１のデバイスは、少なくとも２種類の変調方式の第１のオーディオデータのフレームストリームを生成するように、送信する第１のオーディオデータを、前記第１のデバイスの対応できる少なくとも２種類の変調方式によってそれぞれに変調し、前記少なくとも２種類の変調方式の第１のオーディオデータのフレームストリームを一つの第１のオーディオデータストリームとして接合し、前記第１のオーディオデータストリームを、前記オーディオインターフェイスを介して第２のデバイスに送信するとともに、受信された前記第２のオーディオデータストリームを復調して、正しく受信された前記第２のデバイスの対応できる変調方式を取得し、第２のデバイスにより正しく受信された第１のデバイスの対応できる変調方式を取得し、さらに、予め設定された規則に従って、前記第２のデバイスにより正しく受信された前記第１のデバイスの対応できる変調方式から、前記第２のデバイスへの送信に使用される最適な変調方式を選択するとともに、前記第１のデバイスにより正しく受信された第２のデバイスの対応できる変調方式から、前記第１のデバイスへの送信に使用される最適な変調方式を選択するように構成されており、
前記第２のデバイスは、受信された前記第１のオーディオデータストリームを復調して、正しく受信された前記第１のデバイスの対応できる変調方式を取得し、少なくとも２種類の変調方式の第２のオーディオデータのフレームストリームを生成するように、取得された正しく受信された前記第１のデバイスの対応できる変調方式を含む送信する第２のオーディオデータを、前記第２のデバイスの対応できる少なくとも２種類の変調方式によって変調し、前記少なくとも２種類の変調方式の第２のオーディオデータのフレームストリームを一つの第２のオーディオデータストリームとして接合し、前記第２のオーディオデータストリームを、前記オーディオインターフェイスを介して前記第１のデバイスに送信するように構成されている、
ことを特徴とするオーディオ通信変調方式の自己適応システム。
【請求項１０】
前記の、前記第１のオーディオデータストリームを、前記第１のデバイスのオーディオインターフェイスを介して第２のデバイスに送信することと、前記の、前記第２のオーディオデータストリームを、前記第２のデバイスのオーディオインターフェイスを介して前記第１のデバイスに送信することは、
前記第１のデバイスのオーディオインターフェイスを介して同一時間基準システムを利用して１回のインターアクションで前記第１のオーディオデータストリームを第２のデバイスに送信する；前記第２のデバイスのオーディオインターフェイスを介して同一時間基準システムを利用して１回のインターアクションで前記第２のオーディオデータストリームを前記第１のデバイスに送信することを含み、
前記同一時間基準システムとは、予め設定された基準時刻に対する各変調波形の時間帯の開始時刻および/または終了時刻の時間の長さは、予め設定された値である、
ことを特徴とする請求項9に記載のシステム。
【請求項１１】
前記第２のデバイスはさらに、前記第１のオーディオデータストリームを復調して、予め設定された基準時刻に基づいて各変調波形の開始時刻を検出して、前記開始時刻に基づいて前記変調波形を復調して、前記第１のオーディオデータを取得して、予め設定された規則に従って前記第１のオーディオデータは正しいかどうかを判断し、正しい場合、正しく受信された前記第１のデバイスの対応できる変調方式を取得し、または、
前記第１のデバイスはさらに、前記第２のオーディオデータストリームを復調して、予め設定された基準時刻に基づいて各変調波形の開始時刻を検出して、前記開始時刻に基づいて前記変調波形を復調して、前記第２のオーディオデータを取得して、予め設定された規則に従って前記第２のオーディオデータは正しいかどうかを判断し、正しい場合、正しく受信された前記第２のデバイスの対応できる変調方式を取得する、
ことを特徴とする請求項10に記載のシステム。
【請求項１２】
前記の、前記第１のオーディオデータストリームを、前記第１のデバイスのオーディオインターフェイスを介して第２のデバイスに送信することと、前記の、前記第２のオーディオデータストリームを、前記第２のデバイスのオーディオインターフェイスを介して前記第１のデバイスに送信することはさらに、
前記第１のデバイスのオーディオインターフェイスを介して異なる時間基準システムを利用して１回のインターアクションで前記第１のオーディオデータストリームを第２のデバイスに送信する；および、前記第２のデバイスのオーディオインターフェイスを介して異なる時間基準システムを利用して１回のインターアクションで前記第２のオーディオデータストリームを前記第１のデバイスに送信することを含み、
前記異なる時間基準システムとは、各変調波形の開始時刻は、同期ヘッダ情報により取得される、
ことを特徴とする請求項9に記載のシステム。
【請求項１３】
前記第１のデバイスは、前記第１のオーディオデータのフレームストリームを生成することと、前記第２のデバイスは、前記第２のオーディオデータのフレームストリームを生成することはさらに、
前記第１のデバイスは、前記送信する第１のオーディオデータを前記第１のオーディオデータのフレームストリームに変調し、且つ、同期ヘッダ情報を生成し、各変調波形の開始時刻を指示するように生成された同期ヘッダ情報を前記第１のオーディオデータのフレームストリームに付加する；前記第２のデバイスは、前記送信する第２のオーディオデータを前記第２のオーディオデータのフレームストリームに変調し、且つ、同期ヘッダ情報を生成し、各変調波形の開始時刻を指示するように生成された同期ヘッダ情報を前記第２のオーディオデータのフレームストリームに付加することを含み、または、
前記第２のデバイスはさらに、前記第１のデバイスにより送信された第１のオーディオデータストリームを復調して、各前記第１のデバイスの対応できる変調方式によって変調された変調波形の同期ヘッダをそれぞれに検出して、各変調波形の同期情報を取得し、且つ、前記同期情報に基づいて各変調波形の開始時刻を検出して、前記開始時刻情報に基づいて前記変調波形を復調して、前記第１のオーディオデータを取得し、予め設定された規則に従って前記第１のオーディオデータは正しいかどうかを判断し、正しい場合、正しく受信された前記第１のデバイスの対応できる変調方式を取得する、
ことを特徴とする請求項12に記載のシステム。
【請求項１４】
前記第１のデバイスはさらに、前記第２のデバイスにより送信された第２のオーディオデータストリームを復調して、各前記第２のデバイスの対応できる変調方式によって変調された変調波形の同期ヘッダをそれぞれに検出して、各変調波形の同期情報を取得し、且つ、前記同期情報に基づいて各変調波形の開始時刻を検出して、前記開始時刻情報に基づいて前記変調波形を復調して、前記第２のオーディオデータを取得し、予め設定された規則に従って前記第２のオーディオデータは正しいかどうかを判断し、正しい場合、正しく受信された前記第２のデバイスの対応できる変調方式を取得する、
ことを特徴とする請求項13に記載のシステム。
【請求項１５】
前記第１のデバイスはさらに、第３のオーディオデータのフレームストリームを生成するように、選択された前記第２のデバイスにより使用される最適な変調方式及び前記第１のデバイスにより使用される最適な変調方式を含む第３のオーディオデータを、前記第２のデバイスにより使用される最適な変調方式によって変調し、且つ、前記第３のオーディオデータのフレームストリームを、前記第１のデバイスのオーディオインターフェイスを介して前記第２のデバイスに送信し、または、
前記第１のデバイスはさらに、第３のオーディオデータのフレームストリームを生成するように、選択された前記第２のデバイスにより使用される最適な変調方式、前記第１のデバイスにより使用される最適な変調方式、及び送信するオーディオデータを含む第３のオーディオデータを、前記第２のデバイスにより使用される最適な変調方式によって変調し、且つ、前記第３のオーディオデータのフレームストリームを、前記第１のデバイスのオーディオインターフェイスを介して前記第２のデバイスに送信し、
前記第２のデバイスはさらに、受信された前記第３のオーディオデータのフレームストリームに基づいて前記第２のデバイスにより使用される最適な変調方式と、前記第１のデバイスにより使用される最適な変調方式とを取得し、且つ、応答用オーディオデータを、使用される最適な変調方式によって変調し、前記第１のデバイスに送信するためのものである、
ことを特徴とする請求項9乃至14のいずれか１項に記載のシステム。
【請求項１６】
前記第１のオーディオデータはさらに、第１のデバイスの対応できる少なくとも２種類の変調方式の識別情報を含み、
前記第２のオーディオデータは、第２のデバイスにより取得された正しく受信された第１のデバイスの対応できる変調方式の識別情報と、前記第２のデバイスの対応できる少なくとも２種類の変調方式の識別情報を含む、
ことを特徴とする請求項9乃至15のいずれか１項に記載のシステム。
【請求項１７】
携帯端末用のオーディオ通信変調方式の自己適応装置において、
少なくとも２種類の変調方式の第１のオーディオデータのフレームストリームを生成するように、送信する第１のオーディオデータを、前記自己適応装置の対応できる少なくとも２種類の変調方式によってそれぞれに変調する変調モジュールと、
前記少なくとも２種類の変調方式の第１のオーディオデータのフレームストリームを一つの第１のオーディオデータストリームとして接合する接合モジュールと、
前記第１のオーディオデータストリームを、前記自己適応装置のオーディオインターフェイスを介して電子署名キーに送信するとともに、前記電子署名キーにより送信された少なくとも２種類の変調方式によってそれぞれに変調する第２のオーディオデータストリームを受信する送受信モジュールと、
受信された前記第２のオーディオデータストリームを復調して、正しく受信された前記電子署名キーの対応できる変調方式を取得するとともに、電子署名キーにより正しく受信された前記自己適応装置の対応できる変調方式を取得する取得モジュールと、
予め設定された規則に従って、前記電子署名キーにより正しく受信された前記自己適応装置の対応できる変調方式から前記電子署名キーへの送信に使用される最適な変調方式を選択するとともに、前記自己適応装置により正しく受信された電子署名キーの対応できる変調方式から前記自己適応装置への送信に使用される最適な変調方式を選択する選択モジュールと、を含む、
ことを特徴とする携帯端末用のオーディオ通信変調方式の自己適応装置。
【請求項１８】
前記送受信モジュールはさらに、前記自己適応装置のオーディオインターフェイスを介して同一時間基準システムを利用して１回のインターアクションで前記第１のオーディオデータストリームを電子署名キーに送信し、
前記同一時間基準システムとは、予め設定された基準時刻に対する各変調波形の時間帯の開始時刻および/または終了時刻の時間の長さは予め設定された値である、
ことを特徴とする請求項17に記載の自己適応装置。
【請求項１９】
前記取得モジュールはさらに、前記第２のオーディオデータストリームを復調して、予め設定された基準時刻に基づいて各変調波形の開始時刻を検出して、前記開始時刻に基づいて前記変調波形を復調して、前記第２のオーディオデータを取得して、予め設定された規則に従って前記第２のオーディオデータは正しいかどうかを判断し、正しい場合、正しく受信された前記電子署名キーの対応できる変調方式を取得する、
ことを特徴とする請求項18に記載の自己適応装置。
【請求項２０】
前記送受信モジュールはさらに、前記自己適応装置のオーディオインターフェイスを介して異なる時間基準システムを利用して１回のインターアクションで前記第１のオーディオデータストリームを電子署名キーに送信し、
前記異なる時間基準システムとは、各変調波形の開始時刻は、同期ヘッダ情報により取得される、
ことを特徴とする請求項17に記載の自己適応装置。
【請求項２１】
前記変調モジュールはさらに、前記送信する第１のオーディオデータを前記第１のオーディオデータのフレームストリームに変調し、且つ、同期ヘッダ情報を生成し、各変調波形の開始時刻を指示するように生成された同期ヘッダ情報を前記第１のオーディオデータのフレームストリームに付加し、
前記取得モジュールはさらに、前記電子署名キーにより送信された第２のオーディオデータストリームを復調して、各前記電子署名キーの対応できる変調方式によって変調された変調波形の同期ヘッダをそれぞれに検出して、各変調波形の同期情報を取得し、且つ、前記同期情報に基づいて各変調波形の開始時刻を検出して、前記開始時刻情報に基づいて前記変調波形を復調して、前記第２のオーディオデータを取得し、予め設定された規則に従って前記第２のオーディオデータは正しいかどうかを判断し、正しい場合、正しく受信された前記電子署名キーの対応できる変調方式を取得する、
ことを特徴とする請求項20に記載の自己適応装置。
【請求項２２】
前記変調モジュールはさらに、第３のオーディオデータのフレームストリームを生成するように、選択された前記電子署名キーへの送信に使用される最適な変調方式及び前記自己適応装置への送信に使用される最適な変調方式を含む第３のオーディオデータを、又は選択された前記電子署名キーへの送信に使用される最適な変調方式、前記自己適応装置への送信に使用される最適な変調方式、及び送信するオーディオデータを含む第３のオーディオデータを、前記電子署名キーにより使用される最適な変調方式によって変調するためのものであり、前記送受信モジュールはさらに、前記第３のオーディオデータのフレームストリームを、前記自己適応装置のオーディオインターフェイスを介して前記電子署名キーに送信する、
ことを特徴とする請求項17乃至21のいずれか１項に記載の自己適応装置。
【請求項２３】
前記第１のオーディオデータはさらに、前記自己適応装置の対応できる少なくとも２種類の変調方式の識別情報を含み、
前記第２のオーディオデータは、前記電子署名キーにより取得された正しく受信された前記自己適応装置の対応できる変調方式の識別情報と、前記電子署名キーの対応できる少なくとも２種類の変調方式の識別情報を含む、
ことを特徴とする請求項17乃至22のいずれか１項に記載の自己適応装置。
【請求項２４】
携帯端末用のオーディオ通信変調方式の自己適応装置により送信された少なくとも２種類の変調方式によってそれぞれに変調する第１のオーディオデータストリームを受信するとともに、接合モジュールにより接合された第２のオーディオデータストリームを、オーディオインターフェイスを介して前記自己適応装置に送信する送受信モジュールと、
受信された前記第１のオーディオデータストリームを復調して、正しく受信された前記自己適応装置の対応できる変調方式を取得する取得モジュールと、
少なくとも２種類の変調方式の第２のオーディオデータのフレームストリームを生成するように、取得された正しく受信された前記自己適応装置の対応できる変調方式を含む、送信する第２のオーディオデータを、対応できる少なくとも２種類の変調方式によって変調する変調モジュールと、
前記少なくとも２種類の変調方式の第２のオーディオデータのフレームストリームを一つの第２のオーディオデータストリームとして接合する接合モジュールとを含む、
ことを特徴とする電子署名キー。
【請求項２５】
前記送受信モジュールはさらに、オーディオインターフェイスを介して同一時間基準システムを利用して１回のインターアクションで接合モジュールにより接合された第２のオーディオデータストリームを前記自己適応装置に送信し、
前記同一時間基準システムとは、予め設定された基準時刻に対する各変調波形の時間帯の開始時刻および/または終了時刻の時間の長さは予め設定された値である、
ことを特徴とする請求項24に記載の電子署名キー。
【請求項２６】
前記取得モジュールはさらに、前記第１のオーディオデータストリームを復調して、予め設定された基準時刻に基づいて各変調波形の開始時刻を検出して、前記開始時刻に基づいて前記変調波形を復調して、前記第１のオーディオデータを取得して、予め設定された規則に従って前記第１のオーディオデータは正しいかどうかを判断し、正しい場合、正しく受信された前記自己適応装置の対応できる変調方式を取得する、
ことを特徴とする請求項25に記載の電子署名キー。
【請求項２７】
前記送受信モジュールはさらに、オーディオインターフェイスを介して異なる時間基準システムを利用して１回のインターアクションで接合モジュールにより接合された第２のオーディオデータストリームを前記自己適応装置に送信するためのものであり、
前記異なる時間基準システムとは、各変調波形の開始時刻は、同期ヘッダ情報により取得される、
ことを特徴とする請求項24に記載の電子署名キー。
【請求項２８】
前記変調モジュールはさらに、前記送信する第２のオーディオデータを前記第２のオーディオデータのフレームストリームに変調し、且つ、同期ヘッダ情報を生成し、各変調波形の開始時刻を指示するように生成された同期ヘッダ情報を前記第２のオーディオデータのフレームストリームに付加し、
前記取得モジュールはさらに、前記自己適応装置により送信された第１のオーディオデータストリームを復調して、各前記自己適応装置の対応できる変調方式によって変調された変調波形の同期ヘッダをそれぞれに検出して、各変調波形の同期情報を取得し、且つ、前記同期情報に基づいて各変調波形の開始時刻を検出して、前記開始時刻情報に基づいて前記変調波形を復調して、前記第１のオーディオデータを取得し、予め設定された規則に従って前記第１のオーディオデータは正しいかどうかを判断し、正しい場合、正しく受信された前記自己適応装置の対応できる変調方式を取得する、
ことを特徴とする請求項27に記載の電子署名キー。
【請求項２９】
前記取得モジュールはさらに、前記送受信モジュールにより受信された第３のオーディオデータのフレームストリームに基づいて、前記電子署名キーにより使用される最適な変調方式と、前記自己適応装置により使用される最適な変調方式を取得して、応答用オーディオデータを、前記電子署名キーにより使用される最適な変調方式によって変調し、前記自己適応装置に送信する、
ことを特徴とする請求項28に記載の電子署名キー。
【請求項３０】
前記第１のオーディオデータはさらに、前記自己適応装置の対応できる少なくとも２種類の変調方式の識別情報を含み、
前記第２のオーディオデータは、前記電子署名キーにより取得された正しく受信された前記自己適応装置の対応できる変調方式の識別情報と、前記電子署名キーの対応できる少なくとも２種類の変調方式の識別情報を含む、
ことを特徴とする請求項24乃至29のいずれか１項に記載の電子署名キー。
【発明の詳細な説明】
【技術分野】
【０００１】
本発明は、電子技術分野に関し、特に、オーディオ通信変調方式の自己適応方法、オーディオ通信変調方式の自己適応システム、携帯端末用のオーディオ通信変調方式の自己適応装置、および電子署名キーに関する。
【背景技術】
【０００２】
従来、オーディオインターフェイスを介してオーディオデータを伝送するとき、携帯端末は異なるオーディオ伝送特性を有するので、異なるオーディオ伝送特性を有する携帯端末と整合するために、各携帯端末と整合する最適な変調方式を探し出すように、携帯端末と通信するデバイス（例えば、電子署名キー）は、自動的に異なる変調方式で変調したオーディオデータで試通信する必要がある。
【０００３】
しかしながら、現在、オーディオ通信の手段そのものは少なく、異なる携帯端末と異なる電子署名キーの間の通信の互換性を確保できる適当な方法がない。
【０００４】
また、通信両方は、必ずしも固定の組み合わせではなく、また、互いに異なるオーディオ伝送特性を有するため、オーディオデータの伝送は、変調方式と復調方式とが整合していないと、データ交換の速度が遅い、交換されたデータが歪みやすいといった問題を引き起こす。
【発明の概要】
【発明が解決しようとする課題】
【０００５】
本発明は、少なくとも上記の技術的な欠陥の一つを解決する、ことを目的とする。
【０００６】
本発明の第１の目的は、オーディオデータを迅速に交換でき、且つ、交換されたデータのひずみ度を大幅に低減できるように、オーディオの変調方式を迅速に確定するオーディオ通信変調方式の自己適応方法を提供する。本発明の第２の目的は、オーディオ通信変調方式の自己適応システムを提供する。本発明の第３の目的は、携帯端末用のオーディオ通信変調方式の自己適応装置を提供する。本発明の第４の目的は、電子署名キーを提供する。
【課題を解決するための手段】
【０００７】
上記の目的を達成するために、本発明の第１の側面の実施形態は、以下のステップを含むオーディオ通信変調方式の自己適応方法を提供する：第１のデバイスは、少なくとも２種類の変調方式の第１のオーディオデータのフレームストリームを生成するように、送信する第１のオーディオデータを、前記第１のデバイスの対応できる少なくとも２種類の変調方式によってそれぞれに変調する；前記第１のデバイスは、前記少なくとも２種類の変調方式の第１のオーディオデータのフレームストリームを一つの第１のオーディオデータストリームとして接合する；前記第１のオーディオデータストリームを、前記第１のデバイスのオーディオインターフェイスを介して第２のデバイスに送信する；前記第２のデバイスは、受信された前記第１のオーディオデータストリームを復調して、正しく受信された前記第１のデバイスの対応できる変調方式を取得する；前記第２のデバイスは、少なくとも２種類の変調方式の第２のオーディオデータのフレームストリームを生成するように、取得された正しく受信された第１のデバイスの対応できる変調方式を含む、送信する第２のオーディオデータを、前記第２のデバイスの対応できる少なくとも２種類の変調方式によって変調する；前記第２のデバイスは、前記少なくとも２種類の変調方式の第２のオーディオデータのフレームストリームを一つの第２のオーディオデータストリームとして接合して、且つ、前記第２のオーディオデータストリームを、前記第２のデバイスのオーディオインターフェイスを介して前記第１のデバイスに送信する；前記第１のデバイスは、受信された前記第２のオーディオデータストリームを復調して、正しく受信された前記第２のデバイスの対応できる変調方式を取得し、且つ、前記第２のデバイスにより、正しく受信された前記第１のデバイスの対応できる変調方式を取得する；前記第１のデバイスは、予め設定された規則に従って、前記第２のデバイスにより、正しく受信された前記第１のデバイスの対応できる変調方式から、前記第２のデバイスにより使用される最適な変調方式を選択するとともに、前記第１のデバイスにより、正しく受信された前記第２のデバイスの対応できる変調方式から前記第１のデバイスにより使用される最適な変調方式を選択する。
【０００８】
本発明の実施形態に係るオーディオ通信変調方式の自己適応方法によれば、各変調方式によって変調されたオーディオデータのフレームストリームを一つのオーディオデータストリームとして接合して、１回のインターアクションでデータ交換をすることにより、データ交換の速度が高められるとともに、オーディオの第１の変調方式を迅速に確定することにより、第１のデバイスと第２のデバイスとの間に第１の変調方式によって通信することができ、交換速度がさらに高められ、且つ、交換データのひずみ度が大幅に低減される。
【０００９】
本発明の一実施形態において、前記第１のオーディオデータストリームを、前記第１のデバイスのオーディオインターフェイスを介して第２のデバイスに送信することと、前記第２のオーディオデータストリームを、前記第２のデバイスのオーディオインターフェイスを介して前記第１のデバイスに送信することは、以下のことを含む：前記第１のデバイスのオーディオインターフェイスを介して同一時間基準システムを利用して１回のインターアクションで前記第１のオーディオデータストリームを第２のデバイスに送信する；前記第２のデバイスのオーディオインターフェイスを介して同一時間基準システムを利用して１回のインターアクションで前記第２のオーディオデータストリームを前記第１のデバイスに送信する。
【００１０】
本発明の一実施形態において、前記同一時間基準システムは、予め設定された基準時刻に対する各変調波形の時間帯の開始時刻および/または終了時刻の時間の長さが予め設定された値であることを意味する。
【００１１】
本発明の一実施形態において、前記第２のデバイスは、受信された前記第１のオーディオデータストリームを復調して、正しく受信された前記第１のデバイスの対応できる変調方式を取得することは、以下のことを含む：前記第２のデバイスは、前記第１のオーディオデータストリームを復調して、予め設定された基準時刻に基づいて各変調波形の開始時刻を検出して、前記開始時刻に基づいて前記変調波形を復調して、前記第１のオーディオデータを取得して、予め設定された規則に従って前記第１のオーディオデータが正しいかどうかを判断し、正しい場合、正しく受信された前記第１のデバイスの対応できる変調方式を取得する。
【００１２】
本発明の一実施形態において、前記第１のデバイスが、受信された前記第２のオーディオデータストリームを復調して、正しく受信された前記第２のデバイスの対応できる変調方式を取得し、且つ、前記第２のデバイスにより、正しく受信された前記第１のデバイスの対応できる変調方式を取得することは、以下のことを含む：前記第１のデバイスは、前記第２のオーディオデータストリームを復調して、予め設定された基準時刻に基づいて各変調波形の開始時刻を検出して、前記開始時刻に基づいて前記変調波形を復調して、前記第２のオーディオデータを取得して、予め設定された規則に従って前記第２のオーディオデータが正しいかどうかを判断し、正しい場合、正しく受信された前記第２のデバイスの対応できる変調方式を取得する。
【００１３】
本発明の一実施形態において、前記第１のオーディオデータストリームを、前記第１のデバイスのオーディオインターフェイスを介して第２のデバイスに送信することと、前記第２のオーディオデータストリームを、前記第２のデバイスのオーディオインターフェイスを介して前記第１のデバイスに送信することはさらに、以下のことを含む：前記第１のデバイスのオーディオインターフェイスを介して異なる時間基準システムを利用して１回のインターアクションで前記第１のオーディオデータストリームを第２のデバイスに送信する；および、前記第２のデバイスのオーディオインターフェイスを介して異なる時間基準システムを利用して１回のインターアクションで前記第２のオーディオデータストリームを前記第１のデバイスに送信する。
【００１４】
本発明の一実施形態において、前記異なる時間基準システムは、各変調波形の開始時刻が同期ヘッダ情報により取得されることを意味する。
【００１５】
本発明の一実施形態において、前記第１のデバイスが前記第１のオーディオデータのフレームストリームを生成するステップと、前記第２のデバイスが前記第２のオーディオデータのフレームストリームを生成するステップと、はさらに、以下のことを含む：前記第１のデバイスは、前記送信する第１のオーディオデータを前記第１のオーディオデータのフレームストリームに変調し、且つ、同期ヘッダ情報を生成し、各変調波形の開始時刻を指示するように生成された同期ヘッダ情報を前記第１のオーディオデータのフレームストリームに付加する；前記第２のデバイスは、前記送信する第２のオーディオデータを前記第２のオーディオデータのフレームストリームに変調し、且つ、同期ヘッダ情報を生成し、各変調波形の開始時刻を指示するように生成された同期ヘッダ情報を前記第２のオーディオデータのフレームストリームに付加する。
【００１６】
発明の一実施形態において、前記第２のデバイスが受信された前記第１のオーディオデータストリームを復調して、正しく受信された前記第１のデバイスの対応できる変調方式を取得することは、以下のことを含む：前記第２のデバイスは、前記第１のデバイスにより送信された第１のオーディオデータストリームを復調して、各前記第１のデバイスの対応できる変調方式によって変調された変調波形の同期ヘッダをそれぞれ検出して、各変調波形の同期情報を取得し、且つ、前記同期情報に基づいて各変調波形の開始時刻を検出して、前記開始時刻情報に基づいて前記変調波形を復調して、前記第１のオーディオデータを取得し、予め設定された規則に従って前記第１のオーディオデータが正しいかどうかを判断し、正しい場合、正しく受信された前記第１のデバイスの対応できる変調方式を取得する。
【００１７】
本発明の一実施形態において、前記第１のデバイスが受信された前記第２のオーディオデータストリームを復調して、正しく受信された前記第２のデバイスの対応できる変調方式を取得し、且つ、前記第２のデバイスにより、正しく受信された前記第１のデバイスの対応できる変調方式を取得することは、以下のことを含む：前記第１のデバイスは、前記第２のデバイスにより送信された第２のオーディオデータストリームを復調して、各前記第２のデバイスの対応できる変調方式によって変調された変調波形の同期ヘッダをそれぞれに検出して、各変調波形の同期情報を取得し、且つ、前記同期情報に基づいて各変調波形の開始時刻を検出して、前記開始時刻情報に基づいて前記変調波形を復調して、前記第２のオーディオデータを取得し、予め設定された規則に従って前記第２のオーディオデータが正しいかどうかを判断し、正しい場合、正しく受信された前記第２のデバイスの対応できる変調方式を取得する。
【００１８】
本発明の一実施形態において、前記第１のオーディオデータと前記第２のオーディオデータは、予め設定された一定フォーマットのデータおよび/または可変の内容を含む、伝送データを含む。
【００１９】
本発明の一実施形態において、さらに以下のことを含む：前記第１のデバイスは、第３のオーディオデータのフレームストリームを生成するように、選択された前記第２のデバイスにより使用される最適な変調方式と、前記第１のデバイスにより使用される最適な変調方式を含む第３のオーディオデータを、前記第２のデバイスにより使用される最適な変調方式によって変調する；前記第１のデバイスは、前記第３のオーディオデータのフレームストリームを、前記第１のデバイスのオーディオインターフェイスを介して前記第２のデバイスに送信する。
【００２０】
本発明の一実施形態において、さらに以下のことを含む：前記第１のデバイスは、第３のオーディオデータのフレームストリームを生成するように、選択された前記第２のデバイスにより使用される最適な変調方式、前記第１のデバイスにより使用される最適な変調方式及び送信するオーディオデータを含む第３のオーディオデータを、前記第２のデバイスにより使用される最適な変調方式によって変調する；前記第１のデバイスは、前記第３のオーディオデータのフレームストリームを、前記第１のデバイスのオーディオインターフェイスを介して前記第２のデバイスに送信する。
【００２１】
本発明の一実施形態において、以下のことをさらに含む：前記第２のデバイスは、受信された前記第３のオーディオデータのフレームストリームに基づいて前記第２のデバイスにより使用される最適な変調方式と、前記第１のデバイスにより使用される最適な変調方式を取得し、応答用オーディオデータを、前記第２のデバイスにより使用される最適な変調方式によって変調し、前記第１のデバイスに送信する。
【００２２】
本発明の一実施形態において、前記第１のオーディオデータのフレームストリームと前記第２のオーディオデータのフレームストリームは、以下のように形成されている：前記伝送する第１のオーディオデータを、前記第１のデバイスの対応できる変調方式によってアナログ波形信号に変調して、第１のオーディオデータのフレームストリームを形成する；前記伝送する第２のオーディオデータを、前記第２のデバイスの対応できる変調方式によってアナログ波形信号に変調して、第２のオーディオデータのフレームストリームを形成する。
【００２３】
本発明の一実施形態において、前記第１のオーディオデータはさらに、第１のデバイスの対応できる少なくとも２種類の変調方式の識別情報を含む；前記第２のオーディオデータは、第２のデバイスにより、取得された正しく受信された第１のデバイスの対応できる変調方式の識別情報と、前記第２のデバイスの対応できる少なくとも２種類の変調方式の識別情報を含む。
【００２４】
本発明の一実施形態において、前記第１のデバイスは、携帯端末であり、前記第２のデバイスは、電子署名キーであることを特徴とする。
【００２５】
上記の目的を達成するために、本発明の第２の側面の実施形態は、第１のデバイスと第２のデバイスを含むオーディオ通信変調方式の自己適応システムを提供する。前記第１のデバイスと前記第２のデバイスの間はオーディオインターフェイスを介して接続されており、前記第１のデバイスは、少なくとも２種類の変調方式の第１のオーディオデータのフレームストリームを生成するように、送信する第１のオーディオデータを、前記第１のデバイスの対応できる少なくとも２種類の変調方式によってそれぞれに変調し、前記少なくとも２種類の変調方式の第１のオーディオデータのフレームストリームを一つの第１のオーディオデータストリームとして接合し、前記オーディオインターフェイスを介して前記第１のオーディオデータストリームを第２のデバイスに送信するとともに、受信された前記第２のオーディオデータストリームを復調して、正しく受信された前記第２のデバイスの対応できる変調方式を取得し、第２のデバイスにより、正しく受信された、第１のデバイスの対応できる変調方式を取得し、さらに、予め設定された規則に従って、前記第２のデバイスにより、正しく受信された前記第１のデバイスの対応できる変調方式から、前記第２のデバイスにより使用される最適な変調方式を選択するとともに、前記第１のデバイスにより、正しく受信された第２のデバイスの対応できる変調方式から、前記第１のデバイスにより使用される最適な変調方式を選択するためのものである；前記第２のデバイスは、受信された前記第１のオーディオデータストリームを復調して、正しく受信された前記第１のデバイスの対応できる変調方式を取得し、少なくとも２種類の変調方式の第２のオーディオデータのフレームストリームを生成するように、取得された正しく受信された前記第１のデバイスの対応できる変調方式を含む、送信する第２のオーディオデータを、前記第２のデバイスの対応できる少なくとも２種類の変調方式によって変調し、前記少なくとも２種類の変調方式の第２のオーディオデータのフレームストリームを一つの第２のオーディオデータストリームとして接合し、前記第２のオーディオデータストリームを、前記オーディオインターフェイスを介して前記第１のデバイスに送信するためのものである。
【００２６】
本発明の実施形態に係るオーディオ通信変調方式の自己適応システムによれば、各変調方式によって変調されたオーディオデータのフレームストリームを一つのオーディオデータストリームとして接合して１回のインターアクションでデータ交換をすることにより、データ交換の速度が高められるとともに、オーディオの第１の変調方式を迅速に確定できることにより、第１のデバイスと第２のデバイスとの間に第１の変調方式を介して通信ができ、交換速度がさらに高められ、且つ、交換データのひずみ度が大幅に低減される。
【００２７】
本発明の一実施形態において、前記の、前記第１のオーディオデータストリームを、前記第１のデバイスのオーディオインターフェイスを介して第２のデバイスに送信することと、前記の、前記第２のオーディオデータストリームを、前記第２のデバイスのオーディオインターフェイスを介して前記第１のデバイスに送信することとは、以下のことを含む：前記第１のデバイスのオーディオインターフェイスを介して同一時間基準システムを利用して１回のインターアクションで前記第１のオーディオデータストリームを第２のデバイスに送信する；前記第２のデバイスのオーディオインターフェイスを介して同一時間基準システムを利用して１回のインターアクションで前記第２のオーディオデータストリームを前記第１のデバイスに送信する。
【００２８】
本発明の一実施形態において、前記同一時間基準システムは、予め設定された基準時刻に対する各変調波形の時間帯の開始時刻および/または終了時刻の時間の長さが予め設定された値であることを意味する。
【００２９】
本発明の一実施形態において、前記第２のデバイスはさらに、前記第１のオーディオデータストリームを復調して、予め設定された基準時刻に基づいて各変調波形の開始時刻を検出して、前記開始時刻に基づいて前記変調波形を復調して、前記第１のオーディオデータを取得して、予め設定された規則に従って前記第１のオーディオデータが正しいかどうかを判断し、正しい場合、正しく受信された前記第１のデバイスの対応できる変調方式を取得するためのものである。
【００３０】
本発明の一実施形態において、前記第１のデバイスはさらに、前記第２のオーディオデータストリームを復調して、予め設定された基準時刻に基づいて各変調波形の開始時刻を検出して、前記開始時刻に基づいて前記変調波形を復調して、前記第２のオーディオデータを取得して、予め設定された規則に従って前記第２のオーディオデータが正しいかどうかを判断し、正しい場合、正しく受信された前記第２のデバイスの対応できる変調方式を取得するためのものである。
【００３１】
本発明の一実施形態において、前記の、前記第１のオーディオデータストリームを、前記第１のデバイスのオーディオインターフェイスを介して第２のデバイスに送信することと、前記第２のオーディオデータストリームを、前記第２のデバイスのオーディオインターフェイスを介して前記第１のデバイスに送信することとはさらに、以下のことを含む：前記第１のデバイスのオーディオインターフェイスを介して異なる時間基準システムを利用して１回のインターアクションで前記第１のオーディオデータストリームを第２のデバイスに送信する；および、前記第２のデバイスのオーディオインターフェイスを介して異なる時間基準システムを利用して１回のインターアクションで前記第２のオーディオデータストリームを前記第１のデバイスに送信する。
【００３２】
本発明の一実施形態において、前記異なる時間基準システムは、各変調波形の開始時刻が同期ヘッダ情報により取得されることを意味する。
【００３３】
本発明の一実施形態において、前記第１のデバイスは、前記第１のオーディオデータのフレームストリームを生成することと、前記第２のデバイスは、前記第２のオーディオデータのフレームストリームを生成することはさらに、以下のことを含む：前記第１のデバイスは、前記送信する第１のオーディオデータを前記第１のオーディオデータのフレームストリームに変調し、且つ、同期ヘッダ情報を生成し、各変調波形の開始時刻を指示するように生成された同期ヘッダ情報を前記第１のオーディオデータのフレームストリームに付加する；前記第２のデバイスは、前記送信する第２のオーディオデータを前記第２のオーディオデータのフレームストリームに変調し、且つ、同期ヘッダ情報を生成し、各変調波形の開始時刻を指示するように生成された同期ヘッダ情報を前記第２のオーディオデータのフレームストリームに付加する。
【００３４】
本発明の一実施形態において、前記第２のデバイスはさらに、前記第１のデバイスにより送信された第１のオーディオデータストリームを復調して、各前記第１のデバイスの対応できる変調方式によって変調された変調波形の同期ヘッダをそれぞれ検出して、各変調波形の同期情報を取得し、且つ、前記同期情報に基づいて各変調波形の開始時刻を検出して、前記開始時刻情報に基づいて前記変調波形を復調して、前記第１のオーディオデータを取得し、予め設定された規則に従って前記第１のオーディオデータが正しいかどうかを判断し、正しい場合、正しく受信された前記第１のデバイスの対応できる変調方式を取得するためのものである。
【００３５】
本発明の一実施形態において、前記第１のデバイスはさらに、前記第２のデバイスにより送信された第２のオーディオデータストリームを復調して、各前記第２のデバイスの対応できる変調方式によって変調された変調波形の同期ヘッダをそれぞれ検出して、各変調波形の同期情報を取得し、且つ、前記同期情報に基づいて各変調波形の開始時刻を検出して、前記開始時刻情報に基づいて前記変調波形を復調して、前記第２のオーディオデータを取得し、予め設定された規則に従って前記第２のオーディオデータが正しいかどうかを判断し、正しい場合、正しく受信された前記第２のデバイスの対応できる変調方式を取得するためのものである。
【００３６】
本発明の一実施形態において、前記第１のオーディオデータと前記第２のオーディオデータは、予め設定された一定フォーマットのデータおよび/または可変の内容を含む、伝送データを含む。
【００３７】
本発明の一実施形態において、前記第１のデバイスはさらに、第３のオーディオデータのフレームストリームを生成するように、選択された前記第２のデバイスにより使用される最適な変調方式と、前記第１のデバイスにより使用される最適な変調方式を含む第３のオーディオデータを、前記第２のデバイスにより使用される最適な変調方式によって変調し、且つ、前記第３のオーディオデータのフレームストリームを、前記第１のデバイスのオーディオインターフェイスを介して前記第２のデバイスに送信するためのものである。
【００３８】
本発明の一実施形態において、第３のオーディオデータのフレームストリームを生成するように、前記第１のデバイスはさらに、選択された前記第２のデバイスにより使用される最適な変調方式、すなわち、前記第１のデバイスにより使用される最適な変調方式及び送信するオーディオデータを含む第３のオーディオデータを、前記第２のデバイスにより使用される最適な変調方式によって変調し、前記第３のオーディオデータのフレームストリームを、前記第１のデバイスのオーディオインターフェイスを介して前記第２のデバイスに送信するためのものである。
【００３９】
本発明の一実施形態において、前記第２のデバイスはさらに、受信された前記第３のオーディオデータのフレームストリームに基づいて前記第２のデバイスにより使用される最適な変調方式と、前記第１のデバイスにより使用される最適な変調方式を取得し、且つ、応答用オーディオデータを使用される最適な変調方式によって変調し、前記第１のデバイスに送信するためのものである。
【００４０】
本発明の一実施形態において、前記第１のオーディオデータのフレームストリームと前記第２のオーディオデータのフレームストリームは、以下のように形成されている：前記伝送する第１のオーディオデータを、前記第１のデバイスの対応できる変調方式によってアナログ波形信号に変調して、第１のオーディオデータのフレームストリームを形成する；前記伝送する第２のオーディオデータを、前記第２のデバイスの対応できる変調方式によってアナログ波形信号に変調して、第２のオーディオデータのフレームストリームを形成する。
【００４１】
本発明の一実施形態において、前記第１のオーディオデータはさらに、第１のデバイスの対応できる少なくとも２種類の変調方式の識別情報を含む；前記第２のオーディオデータは、第２のデバイスにより、取得された正しく受信された第１のデバイスの対応できる変調方式の識別情報と、前記第２のデバイスの対応できる少なくとも２種類の変調方式の識別情報を含む。
【００４２】
本発明の一実施形態において、前記第１のデバイスは、携帯端末であり、前記第２のデバイスは、電子署名キーである。
【００４３】
上記の目的を達成するために、本発明の第３の側面の実施形態は、以下のモジュールを含む携帯端末用のオーディオ通信変調方式の自己適応装置を提供する：変調モジュールは、少なくとも２種類の変調方式の第１のオーディオデータのフレームストリームを生成するように、送信する第１のオーディオデータを、前記装置の対応できる少なくとも２種類の変調方式によってそれぞれに変調するためのものである；接合モジュールは、前記少なくとも２種類の変調方式の第１のオーディオデータのフレームストリームを一つの第１のオーディオデータストリームとして接合するためのものである；送受信モジュールは、前記第１のオーディオデータストリームを、前記装置のオーディオインターフェイスを介して電子署名キーに送信するとともに、前記電子署名キーにより送信された第２のオーディオデータストリームを受信するためのものである；取得モジュールは、受信された前記第２のオーディオデータストリームを復調して、正しく受信された前記電子署名キーの対応できる変調方式を取得するとともに、電子署名キーにより正しく受信された前記装置の対応できる変調方式を取得するためのものである；選択モジュールは、予め設定された規則に従って、前記電子署名キーにより正しく受信された前記装置の対応できる変調方式から前記電子署名キーにより使用される最適な変調方式を選択するとともに、前記装置により正しく受信された、電子署名キーの対応できる変調方式から前記装置により使用される最適な変調方式を選択するためのものである。
【００４４】
本発明の実施形態に係る携帯端末用のオーディオ通信変調方式の自己適応装置によれば、電子署名キーとのデータ交換によって携帯端末と電子署名キーのデフォルト変調方式を確定することができる。従って、交換速度が高められ、時間が節約され、データ交換の品質が確保される。
【００４５】
本発明の一実施形態において、前記送受信モジュールはさらに、前記装置のオーディオインターフェイスを介して同一時間基準システムを利用して１回のインターアクションで前記第１のオーディオデータストリームを電子署名キーに送信するためのものである。
【００４６】
本発明の一実施形態において、前記同一時間基準システムとは、予め設定された基準時刻に対する各変調波形の時間帯の開始時刻および/または終了時刻の時間の長さは予め設定された値であることを意味する。
【００４７】
本発明の一実施形態において、前記取得モジュールはさらに、前記第２のオーディオデータストリームを復調して、予め設定された基準時刻に基づいて各変調波形の開始時刻を検出して、前記開始時刻に基づいて前記変調波形を復調して、前記第２のオーディオデータを取得して、予め設定された規則に従って前記第２のオーディオデータが正しいかどうかを判断し、正しい場合、正しく受信された前記電子署名キーの対応できる変調方式を取得するためのものである。
【００４８】
本発明の一実施形態において、前記送受信モジュールはさらに、前記装置のオーディオインターフェイスを介して異なる時間基準システムを利用して１回のインターアクションで前記第１のオーディオデータストリームを電子署名キーに送信するためのものである。
【００４９】
本発明の一実施形態において、前記異なる時間基準システムとは、各変調波形の開始時刻は、同期ヘッダ情報により取得されることを意味する。
【００５０】
本発明の一実施形態において、前記変調モジュールはさらに、前記送信する第１のオーディオデータを前記第１のオーディオデータのフレームストリームに変調し、且つ、同期ヘッダ情報を生成し、各変調波形の開始時刻を指示するように生成された同期ヘッダ情報を前記第１のオーディオデータのフレームストリームに付加するためのものである。
【００５１】
本発明の一実施形態において、前記取得モジュールはさらに、前記電子署名キーにより送信された第２のオーディオデータストリームを復調して、各前記電子署名キーの対応できる変調方式によって変調された変調波形の同期ヘッダをそれぞれ検出して、各変調波形の同期情報を取得し、且つ、前記同期情報に基づいて各変調波形の開始時刻を検出して、前記開始時刻情報に基づいて前記変調波形を復調して、前記第２のオーディオデータを取得し、予め設定された規則に従って前記第２のオーディオデータが正しいかどうかを判断し、正しい場合、正しく受信された前記電子署名キーの対応できる変調方式を取得するためのものである。
【００５２】
本発明の一実施形態において、前記第１のオーディオデータ及び前記第２のオーディオデータは、予め設定された一定フォーマットのデータおよび/または可変の内容を含む、伝送データを含む。
【００５３】
本発明の一実施形態において、前記変調モジュールはさらに、第３のオーディオデータのフレームストリームを生成するように、選択された前記電子署名キーにより使用される最適な変調方式と、前記装置により使用される最適な変調方式を含む第３のオーディオデータを、前記電子署名キーにより使用される最適な変調方式によって変調するためのものであり、前記送受信モジュールはさらに、前記第３のオーディオデータのフレームストリームを、前記装置のオーディオインターフェイスを介して前記電子署名キーに送信するためのものである。
【００５４】
本発明の一実施形態において、前記変調モジュールはさらに、第３のオーディオデータのフレームストリームを生成するように、選択された前記電子署名キーにより使用される最適な変調方式と、前記装置により使用される最適な変調方式と、送信するオーディオデータと、を含む第３のオーディオデータを、前記電子署名キーにより使用される最適な変調方式によって変調するためのものであり、前記送受信モジュールはさらに、前記第３のオーディオデータのフレームストリームを、前記装置のオーディオインターフェイスを介して前記電子署名キーに送信するためのものである。
【００５５】
本発明の一実施形態において、前記第１のオーディオデータのフレームストリームは、以下のように形成されている：前記伝送する第１のオーディオデータを、前記装置の対応できる変調方式によってアナログ波形信号に変調して、第１のオーディオデータのフレームストリームを形成する。
【００５６】
本発明の一実施形態において、前記第１のオーディオデータはさらに、装置の対応できる少なくとも２種類の変調方式の識別情報を含む；前記第２のオーディオデータが前記電子署名キーにより、取得された正しく受信された前記装置の対応できる変調方式の識別情報と、前記電子署名キーの対応できる少なくとも２種類の変調方式の識別情報を含む。
【００５７】
上記の目的を達成するために、本発明の第４の側面の実施形態は、以下のモジュールを含む電子署名キーを提供する：送受信モジュールは、携帯端末用のオーディオ通信変調方式の自己適応装置により送信された第１のオーディオデータストリームを受信するとともに、接合モジュールにより接合された第２のオーディオデータストリームを、オーディオインターフェイスを介して前記装置に送信するためのものである；取得モジュールは、受信された前記第１のオーディオデータストリームを復調して、正しく受信された前記装置の対応できる変調方式を取得するためのものである；変調モジュールは、少なくとも２種類の変調方式の第２のオーディオデータのフレームストリームを生成するように、取得された正しく受信された前記装置の対応できる変調方式を含む、送信する第２のオーディオデータの対応できる少なくとも２種類の変調方式によって変調するためのものである；接合モジュールは、前記少なくとも２種類の変調方式の第２のオーディオデータのフレームストリームを一つの第２のオーディオデータストリームとして接合するためのものである。
【００５８】
本発明の実施形態の電子署名キーにより、携帯端末との間に迅速なデータ交換が実現され、交換速度が高められ、時間が節約される。また、交換中のデータのひずみ度も低減され、データ交換の品質が確保される。
【００５９】
本発明の一実施形態において、前記送受信モジュールはさらに、オーディオインターフェイスを介して同一時間基準システムを利用して１回のインターアクションで接合モジュールにより接合された第２のオーディオデータストリームを前記装置に送信するためのものである。
【００６０】
本発明の一実施形態において、前記同一時間基準システムは、予め設定された基準時刻に対する各変調波形の時間帯の開始時刻および/または終了時刻の時間の長さが予め設定された値であることを意味する。
【００６１】
本発明の一実施形態において、前記取得モジュールはさらに、前記第１のオーディオデータストリームを復調して、予め設定された基準時刻に基づいて各変調波形の開始時刻を検出して、前記開始時刻に基づいて前記変調波形を復調して、前記第１のオーディオデータを取得して、予め設定された規則に従って前記第１のオーディオデータが正しいかどうかを判断し、正しい場合、正しく受信された前記装置の対応できる変調方式を取得するためのものである。
【００６２】
本発明の一実施形態において、前記送受信モジュールはさらに、オーディオインターフェイスを介して異なる時間基準システムを利用して１回のインターアクションで接合モジュールにより接合された第２のオーディオデータストリームを前記装置に送信するためのものである。
【００６３】
本発明の一実施形態において、前記異なる時間基準システムは、各変調波形の開始時刻が同期ヘッダ情報により取得されることを意味する。
【００６４】
本発明の一実施形態において、前記変調モジュールはさらに、前記送信する第２のオーディオデータを前記第２のオーディオデータのフレームストリームに変調し、且つ、同期ヘッダ情報を生成し、各変調波形の開始時刻を指示するように生成された同期ヘッダ情報を前記第２のオーディオデータのフレームストリームに付加するためのものである。
【００６５】
本発明の一実施形態において、前記取得モジュールはさらに、前記装置により送信された第１のオーディオデータストリームを復調して、各前記装置の対応できる変調方式によって変調された変調波形の同期ヘッダをそれぞれ検出して、各変調波形の同期情報を取得し、且つ、前記同期情報に基づいて各変調波形の開始時刻を検出して、前記開始時刻情報に基づいて前記変調波形を復調して、前記第１のオーディオデータを取得し、予め設定された規則に従って前記第１のオーディオデータが正しいかどうかを判断し、正しい場合、正しく受信された前記装置の対応できる変調方式を取得するためのものである。
【００６６】
本発明の一実施形態において、前記第１のオーディオデータ及び前記第２のオーディオデータは、予め設定された一定フォーマットのデータおよび/または可変の内容を含む、伝送データを含む。
【００６７】
本発明の一実施形態において、前記取得モジュールはさらに、前記送受信モジュールにより受信された第３のオーディオデータのフレームストリームに基づいて、前記電子署名キーにより使用される最適な変調方式と、前記装置により使用される最適な変調方式を取得して、応答用オーディオデータを、前記電子署名キーにより使用される最適な変調方式によって変調し、前記装置に送信するためのものである。
【００６８】
本発明の一実施形態において、前記第１のオーディオデータのフレームストリームと前記第２のオーディオデータのフレームストリームは、以下のように形成されている：前記伝送する第１のオーディオデータを、前記装置の対応できる変調方式によってアナログ波形信号に変調して、第１のオーディオデータのフレームストリームを形成する；前記伝送する第２のオーディオデータを、前記電子署名キーの対応できる変調方式によってアナログ波形信号に変調して、第２のオーディオデータのフレームストリームを形成する。
【００６９】
本発明の一実施形態において、前記第１のオーディオデータはさらに、前記装置の対応できる少なくとも２種類の変調方式の識別情報を含む；前記第２のオーディオデータは、前記電子署名キーにより取得された正しく受信された前記装置の対応できる変調方式の識別情報と、前記電子署名キーの対応できる少なくとも２種類の変調方式の識別情報を含む。
【００７０】
本発明の付加の内容及び長所は以下の説明に部分的に体現され、一部は以下の説明で明瞭になり、又は、本発明を実施することにより得られる。
【図面の簡単な説明】
【００７１】
【図１】本発明の一実施形態に係るオーディオ通信変調方式の自己適応方法のフローチャートである。
【図２】本発明の一実施形態に係るオーディオ通信変調方式の自己適応システムの構成を示す模式図である。
【図３】本発明の実施形態に係る携帯端末用のオーディオ通信変調方式の自己適応装置の構成を示す模式図である。
【図４】本発明の実施形態に係る電子署名キーの構成を示す模式図である。
【発明を実施するための形態】
【００７２】
本発明の上記の、及び/または、付加の内容および長所は、以下の図面に合わせて実施形態についての説明により明瞭に、且つ、理解しやすくなる。
【００７３】
以下、本発明の実施の形態を詳細に説明する。前記実施の形態の実例が図面において示されるが、同一の又は類似する符号が相同又は類似の部品或いは相同又は類似の機能を有する部品を表す。以下、図面を参照しながら説明する実施形態が例示性のものであり、本発明を一般に理解するために用いられる。実施形態は、本発明を制限するように解釈されてはならない。
【００７４】
以下の開示には、本発明の異なる構造を実現するための多くの異なる実施形態または例示が提供される。本発明の開示を簡単にするために、特定の例示の部材及び配置について説明する。もちろん、これらは単なる例示であり、本発明を限定するものではない。また、本発明の参照符号として使われる数字および/またはアルファベットは、異なる実施形態にも繰り返して使用される。この使用は、説明を簡単に、且つ、明確にするためのもので、各実施形態および/または配置の間の関係を示すものではない。また、本発明は、特定の工程と材料を例示しているが、当業者は、他の工程および/または材料を本発明に適用できることを理解することができる。また、次に説明される、第１の特徴が第２の特徴の「上」にある構成は、第１、第２の特徴は直接接触するように形成される実施形態も、第１の特徴と第２の特徴との間に他の特徴が形成される実施形態も含み、第１の特徴と第２の特徴は直接接触しなくても可能である。
【００７５】
本発明において、別途、明確に限定した場合を除き、「取付」、「繋がり」、「接続」などの用語を広義に理解することである。例えば、機械的な接続でもよいし、電気的な接続でもよい。また、直接接続されてもよいし、ものを介するように間接的に接続されてもよいし、二つの部品の内部の連通を表してもよい。本分野の技術者は、具体的な状況によって本発明における上記用語の意味を理解できる。
【００７６】
以下の説明および添付の図面から、本発明のこれらおよび他の側面がより明確となる。これらの説明及び図面には、本発明を実施する実施形態の原理の一部の方式を示すように本発明の実施形態における特定の実施形態が開示されるが、当業者にとって理解できるのは、本発明の実施形態の範囲はこれに制限されない。本発明の原理と要旨から逸脱しない範囲で、これらの実施形態に対し様々な変更、修正、置換および変形をすることができる。本発明の技術範囲は、特許請求の範囲及びその均等構成を基準にする。
【００７７】
図1は、本発明の一実施形態に係るオーディオ通信変調方式の自己適応方法を示す図である。図1に示すように、当該オーディオ通信変調方式の自己適応方法は、以下のステップを含む。
【００７８】
ステップS101において、第１のデバイスは、少なくとも２種類の変調方式の第１のオーディオデータのフレームストリームを生成するように、送信する第１のオーディオデータを、第１のデバイスの対応できる少なくとも２種類の変調方式によってそれぞれ変調する。第１のデバイスは携帯電話、タブレットPC などの携帯端末であってもいい。
【００７９】
変調方式は、振幅変調、周波数変調、キャリア変調、又はサブキャリア変調などを含むことができる。例えば、第１のデバイスは、第１のオーディオデータを、４種類の下り変調方式によってそれぞれ変調して、４種類の下り変調方式の第１のオーディオデータのフレームストリームA、B、C、Dを生成することができる。
【００８０】
ステップS102において、第１のデバイスは、少なくとも２種類の変調方式の第１のオーディオデータのフレームストリームを一つの第１のオーディオデータストリームとして接合する。
【００８１】
ステップS103において、第１のオーディオデータストリームを、第１のデバイスのオーディオインターフェイスを介して第２のデバイスに送信する。
【００８２】
例えば、上記の４種類の下り変調方式の下りオーディオデータのフレームストリームA、B、C、Dを一つの第１のオーディオデータストリームとして接合することにより、１回のインターアクションで伝送しやすくなり、伝送回数が減少され、データのひずみの可能性が低減され、データ交換の速度も高められる。
【００８３】
ステップS104において、第２のデバイスは、受信された第１のオーディオデータストリームを復調して、正しく受信された、第１のデバイスに対応できる変調方式を取得する。第２のデバイスは電子署名キー、例えば、オーディオキーであってもいい。このオーディオキーは、ＵＳＢトークンと類似しているが、異なるデータ伝送方式を有するキー装置である。
【００８４】
例えば、第２のデバイスは、第１のオーディオデータストリームに基づいて、正しく受信された、第１のデバイスの対応できる変調方式としてB、C、Dを確定した。Aについては、伝送中、第２のデバイスが受信できなかったか、あるいは、変調されたデータフォーマットに誤りなどがあった。
【００８５】
ステップS105において、第２のデバイスは、少なくとも２種類の変調方式の第２のオーディオデータのフレームストリームを生成するように、取得された正しく受信された第１のデバイスの対応できる変調方式を含む、送信する第２のオーディオデータを、第２のデバイスの対応できる少なくとも２種類の変調方式によって変調する。
【００８６】
例えば、第２のデバイスは、第１のオーディオデータのフレームストリームB、C、Dに対応する三種類の下り変調方式を送信内容として、第２のデバイスにおける４種類の上り変調方式によって変調して、第２のオーディオデータのフレームストリームE、F、G、Hを生成する。その中に、E、F、G、Hはいずれも第１のオーディオデータのフレームストリームB、C、Dに対応する三種類の下り変調方式を含む。
【００８７】
ステップS106において、第２のデバイスは、少なくとも２種類の変調方式の第２のオーディオデータのフレームストリームを一つの第２のオーディオデータストリームとして接合し、且つ、第２のオーディオデータストリームを、第２のデバイスのオーディオインターフェイスを介して第１のデバイスに送信する。
【００８８】
ステップS107において、第１のデバイスは、受信された第２のオーディオデータストリームを復調して、正しく受信された第２のデバイスの対応できる変調方式を取得し、且つ、第２のデバイスにより、正しく受信された、第１のデバイスの対応できる変調方式を取得する。
【００８９】
ステップS108において、第１のデバイスは、予め設定された規則に従って、第２のデバイスにより、正しく受信された、第１のデバイスの対応できる変調方式から、第２のデバイスにより使用される最適な変調方式を選択するとともに、第１のデバイスにより、正しく受信された、第２のデバイスの対応できる変調方式から第１のデバイスにより使用される最適な変調方式を選択する。
【００９０】
ここで、最適な変調方式は、予め設定された規則に従って選び出された変調方式である。例えば、波形ひずみ度、振幅減衰が小さいサンプルデータストリームに対応する変調方式を最適な変調方式とする。
【００９１】
本発明の実施形態に係るオーディオ通信変調方式の自己適応方法によれば、各変調方式によって変調されたオーディオデータのフレームストリームを一つのオーディオデータストリームとして接合して、１回のインターアクションでデータ交換をすることにより、データ交換の速度が高められるとともに、オーディオの第１の変調方式を迅速に確定できることにより、第１のデバイスと第２のデバイスとの間に第１の変調方式によって通信することができ、交換速度がさらに高められ、且つ、交換データのひずみ度が大幅に低減される。
【００９２】
本発明の一実施形態において、第１のオーディオデータ及び第２のオーディオデータは、予め設定された一定フォーマットのデータおよび/または可変の内容を含む伝送データを含む。予め設定された一定フォーマットによって、毎回送信されるオーディオデータに対応する一定フォーマットが一致するかどうかを判断できる。一致する場合、正しい受信と判断し、そうでなければ、誤った受信と判断する。このように、受信されたデータの信頼性が確保される。
【００９３】
本発明の一実施形態において、第１のデバイスのオーディオインターフェイスを介して同一時間基準システムを利用して１回のインターアクションで第１のオーディオデータストリームを第２のデバイスに送信するとともに、第２のデバイスのオーディオインターフェイスを介して同一時間基準システムを利用して１回のインターアクションで第２のオーディオデータストリームを第１のデバイスに送信する。ここで、同一時間基準システムとは、予め設定された基準時刻に対する各変調波形の時間帯の開始時刻および/または終了時刻の時間の長さが予め設定された値であることを意味する。
【００９４】
本発明の一実施形態において、ステップS104（すなわち、第２のデバイスは、受信された第１のオーディオデータストリームを復調して、正しく受信された、第１のデバイスの対応できる変調方式を取得する）は、具体的に以下のことを含む。第２のデバイスは、第１のオーディオデータストリームを復調して、予め設定された基準時刻に基づいて各変調波形の開始時刻を検出して、開始時刻に基づいて変調波形を復調して、第１のオーディオデータを取得して、予め設定された規則に従って第１のオーディオデータは正しいかどうかを判断し、正しい場合、正しく受信された、第１のデバイスの対応できる変調方式を取得する。このように、第２のデバイスにより受信された第１のオーディオデータの信頼性を確保でき、正しく受信された、第１のデバイスの対応できる変調方式を取得できる。
【００９５】
本発明の一実施形態において、ステップS107（すなわち、第１のデバイスは、受信された第２のオーディオデータストリームを復調して、正しく受信された第２のデバイスの対応できる変調方式を取得し、且つ、第２のデバイスにより、正しく受信された第１のデバイスの対応できる変調方式を取得する）は、具体的に以下のことを含む。第１のデバイスは、第２のオーディオデータストリームを復調して、予め設定された基準時刻に基づいて各変調波形の開始時刻を検出して、開始時刻に基づいて変調波形を復調して、第２のオーディオデータを取得して、予め設定された規則に従って第２のオーディオデータは正しいかどうかを判断し、正しい場合、正しく受信された、第２のデバイスの対応できる変調方式を取得する。ここで、第２のオーディオデータは、取得された正しく受信された第１のデバイスの対応できる変調方式のデータを含むので、第１のデバイスはさらに、第２のオーディオデータによって第２のデバイスにより、正しく受信された第１のデバイスの対応できる変調方式を取得する。このように、第１のデバイスが受信した第２のオーディオデータの信頼性を確保でき、正しく受信された、第２のデバイスの対応できる変調方式を取得できる。
【００９６】
また、本発明の一実施形態において、第１のデバイスのオーディオインターフェイスを介して異なる時間基準システムを利用して１回のインターアクションで第１のオーディオデータストリームを第２のデバイスに送信するとともに、第２のデバイスのオーディオインターフェイスを介して異なる時間基準システムを利用して１回のインターアクションで第２のオーディオデータストリームを第１のデバイスに送信する。ここで、異なる時間基準システムとは、各変調波形の開始時刻が同期ヘッダ情報により取得されることを意味する。
【００９７】
従って、本発明の一実施形態において、第１のデバイスが第１のオーディオデータのフレームストリームを生成するステップ（ステップS101）と、第２のデバイスが第２のオーディオデータのフレームストリームを生成するステップ（ステップS107）はさらに、以下のことを含む。第１のデバイスは、送信する第１のオーディオデータを第１のオーディオデータのフレームストリームに変調し、且つ、同期ヘッダ情報を生成し、各変調波形の開始時刻を指示するように生成された同期ヘッダ情報を第１のオーディオデータのフレームストリームに付加する。第２のデバイスは、送信する第２のオーディオデータを第２のオーディオデータのフレームストリームに変調し、且つ、同期ヘッダ情報を生成し、各変調波形の開始時刻を指示するように生成された同期ヘッダ情報を第２のオーディオデータのフレームストリームに付加する。
【００９８】
発明の一実施形態において、ステップS104（すなわち、第２のデバイスは、受信された第１のオーディオデータストリームを復調して、正しく受信された第１のデバイスの対応できる変調方式を取得する）は、具体的に以下のことを含む。第２のデバイスは、第１のデバイスから送信されたオーディオデータストリームを復調して、各第１のデバイスの対応できる変調方式によって変調された変調波形の同期ヘッダをそれぞれ検出して、各変調波形の同期情報を取得し、且つ、同期情報に基づいて各変調波形の開始時刻を検出して、開始時刻情報に基づいて変調波形を復調して、第１のオーディオデータを取得し、予め設定された規則に従って第１のオーディオデータが正しいかどうかを判断し、正しい場合、正しく受信された第１のデバイスの対応できる変調方式を取得する。このように、第２のデバイスにより受信された第１のオーディオデータの信頼性を確保できるので、正しく受信された第１のデバイスの対応できる変調方式を取得できる。
【００９９】
本発明の一実施形態において、ステップS107（すなわち、第１のデバイスは、受信された第２のオーディオデータストリームを復調して、正しく受信された第２のデバイスの対応できる変調方式を取得し、且つ、第２のデバイスにより、正しく受信された第１のデバイスの対応できる変調方式を取得する）は、具体的に以下のことを含む：第１のデバイスは、第２のデバイスから送信された第２のオーディオデータストリームを復調して、第２のデバイスの対応できる変調方式によって変調された変調波形の同期ヘッダをそれぞれ検出して、各変調波形の同期情報を取得し、且つ、同期情報に基づいて各変調波形の開始時刻を検出して、開始時刻情報に基づいて変調波形を復調して、第２のオーディオデータを取得し、予め設定された規則に従って第２のオーディオデータが正しいかどうかを判断し、正しい場合、正しく受信された第２のデバイスの対応できる変調方式を取得する。ここで、第２のオーディオデータは、取得された正しく受信された第１のデバイスの対応できる変調方式のデータを含むので、第１のデバイスはさらに、第２のオーディオデータによって第２のデバイスにより、正しく受信された第１のデバイスの対応できる変調方式を取得する。このように、第１のデバイスにより受信された第２のオーディオデータの信頼性を確保できるので、正しく受信された第２のデバイスの対応できる変調方式を取得できる。
【０１００】
本発明の一実施形態において、以下のステップをさらに含む。第１のデバイスは、第３のオーディオデータのフレームストリームを生成するように、選択された第２のデバイスにより使用される最適な変調方式と、第１のデバイスにより使用される最適な変調方式とを含む第３のオーディオデータを、第２のデバイスにより使用される最適な変調方式によって変調する。第１のデバイスは、第３のオーディオデータのフレームストリームを、第１のデバイスのオーディオインターフェイスを介して第２のデバイスに送信する。
【０１０１】
本発明の一実施形態において、さらに以下のステップを含む。第１のデバイスは、第３のオーディオデータのフレームストリームを生成するように、選択された第２のデバイスにより使用される最適な変調方式、第１のデバイスが使用する最適な変調方式及び送信するオーディオデータを含む第３のオーディオデータを、第２のデバイスにより使用される最適な変調方式によって変調する。そして、第１のデバイスは、第３のオーディオデータのフレームストリームを、第１のデバイスのオーディオインターフェイスを介して第２のデバイスに送信する。このようにして、初めて正常にデータを伝送する時に変調方式を送信できる。
【０１０２】
さらに、本発明の一実施形態において、以下のステップをさらに含む。第２のデバイスは、受信された第３のオーディオデータのフレームストリームに基づいて第２のデバイスにより使用される最適な変調方式と、第１のデバイスにより使用される最適な変調方式を取得し、応答用オーディオデータを、第２のデバイスにより使用される最適な変調方式によって変調し、第１のデバイスに送信する。
【０１０３】
本発明の一実施形態において、第１のオーディオデータのフレームストリームと第２のオーディオデータのフレームストリームは、以下のように形成されている。まず、伝送する第１のオーディオデータを、第１のデバイスの対応できる変調方式によってアナログ波形信号に変調して、第１のオーディオデータのフレームストリームを形成する。また、伝送する第２のオーディオデータを、第２のデバイスの対応できる変調方式によってアナログ波形信号に変調して、第２のオーディオデータのフレームストリームを形成する。
【０１０４】
本発明の全ての実施形態において、第１のオーディオデータはさらに、第１のデバイスの対応できる少なくとも２種類の変調方式の識別情報を含む。第２のオーディオデータは、第２のデバイスにより、取得された正しく受信された第１のデバイスの対応できる変調方式の識別情報と、第２のデバイスの対応できる少なくとも２種類の変調方式の識別情報を含む。すなわち、変調方式ごとに識別情報があり、デバイスごとに各自の変調方式、復調方式及び相手の復調方式があり、各識別情報に基づいて各識別情報に対応する変調方式を検索する。
【０１０５】
上記実施形態を達成するために、本発明はさらに、オーディオ通信変調方式の自己適応システムを提供する。図2は、一実施形態に係るオーディオ通信変調方式の自己適応システムの構成模式図である。図2に示すように、当該オーディオ通信変調方式の自己適応システムは、第１のデバイス401と第２のデバイス402を含み、且つ、第１のデバイス401と第２のデバイス402の間はオーディオインターフェイス403を介して接続される。なお、第１のデバイス401は、携帯端末であってもいい。携帯端末は、例えば携帯電話、タブレットPC などである。また、第２のデバイス402は、電子署名キーであってもいい。例えば、オーディオキーであり、これは、ＵＳＢトークンと似たキー装置であるがデータ伝送方式が同じではない。
【０１０６】
具体的には、第１のデバイス401は、少なくとも２種類の変調方式の第１のオーディオデータのフレームストリームを生成するように、送信する第１のオーディオデータを、第１のデバイス401の対応できる少なくとも２種類の変調方式によってそれぞれ変調し、少なくとも２種類の変調方式の第１のオーディオデータのフレームストリームを一つの第１のオーディオデータストリームとして接合し、第１のオーディオデータストリームを、オーディオインターフェイス403を介して第２のデバイス402に送信するとともに、受信された第２のオーディオデータストリームを復調して、正しく受信された第２のデバイス402の対応できる変調方式を取得し、第２のデバイス402により正しく受信された、第１のデバイス401の対応できる変調方式を取得し、さらに、予め設定された規則に従って、第２のデバイス402により正しく受信された第１のデバイス401の対応できる変調方式から、第２のデバイス402により使用される最適な変調方式を選択するとともに、第１のデバイス401により正しく受信された第２のデバイス402の対応できる変調方式から、第１のデバイス401により使用される最適な変調方式を選択するためのものである。より具体的には、変調方式は、振幅変調、周波数変調、キャリア変調、又はサブキャリア変調などを含むことができる。例えば、第１のデバイス401は、第１のオーディオデータを、４種類の下り変調方式によってそれぞれに変調して、４種類の下り変調方式の第１のオーディオデータのフレームストリームA、B、C、Dを生成し、上記の４種類の下り変調方式の下りオーディオデータのフレームストリームA、B、C、Dを一つの第１のオーディオデータストリームとして接合して第２のデバイス402に送信することができる。
【０１０７】
第２のデバイス402は、受信された第１のオーディオデータストリームを復調して、正しく受信された第１のデバイス401の対応できる変調方式を取得し、取得された正しく受信された第１のデバイス401の対応できる変調方式を含む、送信する第２のオーディオデータを、第２のデバイス402の対応できる少なくとも２種類の変調方式によって変調して、少なくとも２種類の変調方式の第２のオーディオデータのフレームストリームを生成し、少なくとも２種類の変調方式の第２のオーディオデータのフレームストリームを一つの第２のオーディオデータストリームとして接合し、オーディオインターフェイス（すなわち、図示しない、第２のデバイス402に対応するオーディオインターフェイスである。）を介して、第２のオーディオデータストリームを第１のデバイス401に送信するためのものである。例えば、第２のデバイス402は、第１のオーディオデータストリームに基づいて正しく受信された、第１のデバイス401の対応できる変調方式をB、C、Dに確定する。Aについては、伝送中、第２のデバイス402が受信できないか、変調されたデータフォーマットが誤っているなどの恐れがある。第２のデバイス402は、第１のオーディオデータのフレームストリームB、C、Dに対応する三種類の下り変調方式を送信内容として、第２のデバイスにおける４種類の上り変調方式によって変調して、第２のオーディオデータのフレームストリームE、F、G、Hを生成する。ここで、E、F、G、Hはいずれも第１のオーディオデータのフレームストリームB、C、Dに対応する三種類の下り変調方式を含む。
【０１０８】
本発明の実施形態に係るオーディオ通信変調方式の自己適応システムによれば、各変調方式によって変調されたオーディオデータのフレームストリームを一つのオーディオデータストリームとして接合して１回のインターアクションでデータ交換をすることにより、データ交換の速度が高められるとともに、オーディオの第１の変調方式を迅速に確定できることにより、第１のデバイスと第２のデバイスとの間に第１の変調方式を介して通信ができ、交換速度がさらに高められ、且つ、交換データのひずみ度が大幅に低減される。
【０１０９】
本発明の一実施形態において、第１のオーディオデータと第２のオーディオデータは、予め設定された一定フォーマットのデータおよび/または可変の内容を含む、伝送データを含む。
【０１１０】
本発明の一実施形態において、第１のデバイス401のオーディオインターフェイス403を介して同一時間基準システムを利用して１回のインターアクションで第１のオーディオデータストリームを第２のデバイス402に送信し、第２のデバイス402のオーディオインターフェイスを介して同一時間基準システムを利用して１回のインターアクションで第２のオーディオデータストリームを第１のデバイス401に送信する。ここで、同一時間基準システムとは、予め設定された基準時刻に対する各変調波形の時間帯の開始時刻および/または終了時刻の時間の長さが予め設定された値であることを意味する。
【０１１１】
本発明の一実施形態において、第２のデバイス402はさらに、第１のオーディオデータストリームを復調して、予め設定された基準時刻に基づいて各変調波形の開始時刻を検出して、開始時刻に基づいて変調波形を復調して、第１のオーディオデータを取得して、予め設定された規則に従って第１のオーディオデータは正しいかどうかを判断し、正しい場合、正しく受信された、第１のデバイス401の対応できる変調方式を取得するためのものである。
【０１１２】
本発明の一実施形態において、第１のデバイス401はさらに、第２のオーディオデータストリームを復調して、予め設定された基準時刻に基づいて各変調波形の開始時刻を検出して、開始時刻に基づいて変調波形を復調して、第２のオーディオデータを取得して、予め設定された規則に従って第２のオーディオデータは正しいかどうかを判断し、正しい場合、正しく受信された、第２のデバイス402の対応できる変調方式を取得するためのものである。
【０１１３】
また、本発明の一実施形態において、さらに第１のデバイス401のオーディオインターフェイス403を介して異なる時間基準システムを利用して１回のインターアクションで第１のオーディオデータストリームを第２のデバイス402に送信するとともに、第２のデバイス402のオーディオインターフェイスを介して異なる時間基準システムを利用して１回のインターアクションで第２のオーディオデータストリームを第１のデバイス401に送信することができる。ここで、異なる時間基準システムとは、各変調波形の開始時刻は、同期ヘッダ情報により取得されることを意味する。
【０１１４】
本発明の一実施形態において、第１のデバイス401は、送信する第１のオーディオデータを第１のオーディオデータのフレームストリームに変調し、且つ、同期ヘッダ情報を生成し、各変調波形の開始時刻を指示するように生成された同期ヘッダ情報を第１のオーディオデータのフレームストリームに付加する；第２のデバイス402は、送信する第２のオーディオデータを第２のオーディオデータのフレームストリームに変調し、且つ、同期ヘッダ情報を生成し、各変調波形の開始時刻を指示するように生成された同期ヘッダ情報を第２のオーディオデータのフレームストリームに付加する。
【０１１５】
本発明の一実施形態において、第２のデバイス402はさらに、第１のデバイス401により送信された第１のオーディオデータストリームを復調して、各第１のデバイス401の対応できる変調方式によって変調された変調波形の同期ヘッダをそれぞれに検出して、各変調波形の同期情報を取得し、且つ、同期情報に基づいて各変調波形の開始時刻を検出して、開始時刻情報に基づいて変調波形を復調して、第１のオーディオデータを取得し、予め設定された規則に従って第１のオーディオデータは正しいかどうかを判断し、正しい場合、正しく受信された第１のデバイス401の対応できる変調方式を取得するためのものである。
【０１１６】
本発明の一実施形態において、第１のデバイス401はさらに、第２のデバイス402により送信された第２のオーディオデータストリームを復調して、各第２のデバイス402の対応できる変調方式によって変調された変調波形の同期ヘッダをそれぞれ検出して、各変調波形の同期情報を取得し、且つ、同期情報に基づいて各変調波形の開始時刻を検出して、開始時刻情報に基づいて変調波形を復調して、第２のオーディオデータを取得し、予め設定された規則に従って第２のオーディオデータは正しいかどうかを判断し、正しい場合、正しく受信された第２のデバイス402の対応できる変調方式を取得するためのものである。
【０１１７】
本発明の一実施形態において、第１のデバイス401はさらに、第３のオーディオデータのフレームストリームを生成するように、選択された第２のデバイス402により使用される最適な変調方式と、第１のデバイス401により使用される最適な変調方式を含む第３のオーディオデータを、第２のデバイス402により使用される最適な変調方式によって変調する；且つ第３のオーディオデータのフレームストリームを、第１のデバイス401のオーディオインターフェイスを介して第２のデバイス402に送信するためのものである。
【０１１８】
本発明の一実施形態において、第１のデバイス401はさらに、第３のオーディオデータのフレームストリームを生成するように、選択された第２のデバイス402により使用される最適な変調方式、第１のデバイス401により使用される最適な変調方式及び送信するオーディオデータを含む第３のオーディオデータを、第２のデバイス402により使用される最適な変調方式によって変調する；且つ、第３のオーディオデータのフレームストリームを、第１のデバイス401のオーディオインターフェイスを介して第２のデバイス402に送信するためのものである。
【０１１９】
本発明の一実施形態において、第２のデバイス402はさらに、受信された第３のオーディオデータのフレームストリームに基づいて第２のデバイス402により使用される最適な変調方式と、第１のデバイス401により使用される最適な変調方式を取得し、且つ、応答用オーディオデータを、使用される最適な変調方式によって変調し、第１のデバイス401に送信するためのものである。
【０１２０】
本発明の一実施形態において、伝送する第１のオーディオデータを、第１のデバイス401の対応できる変調方式によってアナログ波形信号に変調して、第１のオーディオデータのフレームストリームを形成する；伝送する第２のオーディオデータを、第２のデバイス402の対応できる変調方式によってアナログ波形信号に変調して、第２のオーディオデータのフレームストリームを形成する。
【０１２１】
上記実施形態を達成するために、本発明はさらに、携帯端末用のオーディオ通信変調方式の自己適応装置を提供する。図3は、本発明の一実施形態に係る携帯端末用のオーディオ通信変調方式の自己適応装置の構成模式図である。図3に示すように、当該装置500は、変調モジュール501、接合モジュール502、送受信モジュール503、取得モジュール504および選択モジュール505を含む。
【０１２２】
ここで、変調モジュール501は、少なくとも２種類の変調方式の第１のオーディオデータのフレームストリームを生成するように、送信する第１のオーディオデータを、装置の対応できる少なくとも２種類の変調方式によってそれぞれに変調するためのものである。接合モジュール502は、少なくとも２種類の変調方式の第１のオーディオデータのフレームストリームを一つの第１のオーディオデータストリームとして接合するためのものである。送受信モジュール503は、当該装置500のオーディオインターフェイスを介して同一時間基準システムを利用して１回のインターアクションで第１のオーディオデータストリームを電子署名キーに送信するとともに、電子署名キーにより送信された第２のオーディオデータストリームを受信するためのものである。取得モジュール504は、受信された第２のオーディオデータストリームを復調して、正しく受信された、電子署名キーの対応できる変調方式を取得するとともに、電子署名キーにより正しく受信された装置500の対応できる変調方式を取得するためのものである。選択モジュール505は、予め設定された規則に従って、電子署名キーにより正しく受信された装置500の対応できる変調方式から電子署名キーにより使用される最適な変調方式を選択するとともに、装置500により正しく受信された、電子署名キーの対応できる変調方式から装置500により使用される最適な変調方式を選択するためのものである。
【０１２３】
本発明の一実施形態において、送受信モジュール503はさらに、装置500のオーディオインターフェイスを介して同一時間基準システムを利用して１回のインターアクションで第１のオーディオデータストリームを電子署名キーに送信するためのものである。ここで、同一時間基準システムとは、予め設定された基準時刻に対する各変調波形の時間帯の開始時刻および/または終了時刻の時間の長さは予め設定された値であることを意味する。
【０１２４】
本発明の一実施形態において、取得モジュール504はさらに、第２のオーディオデータストリームを復調して、予め設定された基準時刻に基づいて各変調波形の開始時刻を検出して、開始時刻に基づいて変調波形を復調して、第２のオーディオデータを取得して、予め設定された規則に従って第２のオーディオデータは正しいかどうかを判断し、正しいである場合、正しく受信された、電子署名キーの対応できる変調方式を取得するためのものである。
【０１２５】
また、本発明の一実施形態において、送受信モジュール503はさらに、装置500のオーディオインターフェイスを介して異なる時間基準システムを利用して１回のインターアクションで第１のオーディオデータストリームを電子署名キーに送信するためのものである。ここで、異なる時間基準システムとは、各変調波形の開始時刻が、同期ヘッダ情報により取得されることを意味する。
【０１２６】
本発明の一実施形態において、変調モジュール501はさらに、送信する第１のオーディオデータを第１のオーディオデータのフレームストリームに変調し、且つ、同期ヘッダ情報を生成し、各変調波形の開始時刻を指示するように生成された同期ヘッダ情報を第１のオーディオデータのフレームストリームに付加するためのものである。
【０１２７】
本発明の一実施形態において、取得モジュール504はさらに、電子署名キーにより送信された第２のオーディオデータストリームを復調して、各電子署名キーの対応できる変調方式によって変調された変調波形の同期ヘッダをそれぞれ検出して、各変調波形の同期情報を取得し、且つ、同期情報に基づいて各変調波形の開始時刻を検出して、開始時刻情報に基づいて変調波形を復調して、第２のオーディオデータを取得し、予め設定された規則に従って第２のオーディオデータが正しいかどうかを判断し、正しい場合、正しく受信された電子署名キーの対応できる変調方式を取得するためのものである。
【０１２８】
本発明の一実施形態において、第１のオーディオデータ及び第２のオーディオデータは、予め設定された一定フォーマットのデータおよび/または可変の内容を含む、伝送データを含む。
【０１２９】
本発明の別の一実施形態において、変調モジュール501はさらに、第３のオーディオデータのフレームストリームを生成するように、選択された電子署名キーにより使用される最適な変調方式、すなわち、装置500により使用される最適な変調方式を含む第３のオーディオデータを、電子署名キーにより使用される最適な変調方式によって変調するためのものである。ここで、送受信モジュール503はさらに、第３のオーディオデータのフレームストリームを、装置500のオーディオインターフェイスを介して電子署名キーに送信するためのものである。
【０１３０】
また、本発明の一実施形態において、変調モジュール501はさらに、第３のオーディオデータのフレームストリームを生成するように、選択された電子署名キーにより使用される最適な変調方式、すなわち、装置500により使用される最適な変調方式及び送信するオーディオデータを含む第３のオーディオデータを、電子署名キーにより使用される最適な変調方式によって変調するためのものである。ここで、送受信モジュール503はさらに、第３のオーディオデータのフレームストリームを、装置500のオーディオインターフェイスを介して電子署名キーに送信するためのものである。
【０１３１】
本発明の一実施形態において、伝送する第１のオーディオデータを、装置500の対応できる変調方式によってアナログ波形信号に変調して、第１のオーディオデータのフレームストリームを形成する。
【０１３２】
なお、当該実施形態の装置の具体的な実施過程については、方法、システムの実施形態に係る第１のデバイスの動作過程を参照することができる。
【０１３３】
本発明の実施形態に係る装置によれば、電子署名キーとのデータ交換によって携帯端末と電子署名キーのデフォルト変調方式を確定することができる。従って、交換速度が高められ、時間が節約され、データ交換の品質が確保される。
【０１３４】
上記実施形態を達成するために、本発明はさらに、電子署名キーを提供する。図4は、本発明の一実施形態に係る電子署名キーの図である。 図4に示すように、当該電子署名キー600は、送受信モジュール601、取得モジュール602、変調モジュール603及び接合モジュール604を含む。
【０１３５】
ここで、送受信モジュール601は、装置500により送信された第１のオーディオデータストリームを受信するとともに、接合モジュール604により接合された第２のオーディオデータストリームを、オーディオインターフェイスを介して装置500に送信するためのものである。取得モジュール602は、受信された第１のオーディオデータストリームを復調して、正しく受信された装置500の対応できる変調方式を取得するためのものである。変調モジュール603は、少なくとも２種類の変調方式の第２のオーディオデータのフレームストリームを生成するように、取得された正しく受信された装置500の対応できる変調方式を含む送信する第２のオーディオデータを対応できる少なくとも２種類の変調方式によって変調するためのものである。接合モジュール604は、少なくとも２種類の変調方式の第２のオーディオデータのフレームストリームを一つの第２のオーディオデータストリームとして接合するためのものである。
【０１３６】
本発明の一実施形態において、送受信モジュール601はさらに、オーディオインターフェイスを介して同一時間基準システムを利用して１回のインターアクションで接合モジュール604により接合された第２のオーディオデータストリームを装置500に送信するためのものである。ここで、同一時間基準システムとは、予め設定された基準時刻に対する各変調波形の時間帯の開始時刻および/または終了時刻の時間の長さが予め設定された値であることを意味する。
【０１３７】
本発明の一実施形態において、取得モジュール602はさらに、第１のオーディオデータストリームを復調して、予め設定された基準時刻に基づいて各変調波形の開始時刻を検出して、開始時刻に基づいて変調波形を復調して、第１のオーディオデータを取得して、予め設定された規則に従って第１のオーディオデータは正しいかどうかを判断し、正しいである場合、正しく受信された、装置500の対応できる変調方式を取得するためのものである。
【０１３８】
本発明の一実施形態において、送受信モジュール601はさらに、オーディオインターフェイスを介して異なる時間基準システムを利用して１回のインターアクションで接合モジュール604により接合された第２のオーディオデータストリームを装置500に送信するためのものである。その中に、異なる時間基準システムとは、各変調波形の開始時刻は、同期ヘッダ情報により取得されることを意味する。
【０１３９】
本発明の一実施形態において、変調モジュール603はさらに、送信する第２のオーディオデータを第２のオーディオデータのフレームストリームに変調し、且つ、同期ヘッダ情報を生成し、各変調波形の開始時刻を指示するように生成された同期ヘッダ情報を第２のオーディオデータのフレームストリームに付加するためのものである。
【０１４０】
本発明の一実施形態において、取得モジュール602はさらに、装置500により送信された第１のオーディオデータストリームを復調して、各装置500の対応できる変調方式によって変調された変調波形の同期ヘッダをそれぞれ検出して、各変調波形の同期情報を取得し、且つ、同期情報に基づいて各変調波形の開始時刻を検出して、開始時刻情報に基づいて変調波形を復調して、第１のオーディオデータを取得し、予め設定された規則に従って第１のオーディオデータが正しいかどうかを判断し、正しい場合、正しく受信された装置500の対応できる変調方式を取得するためのものである。
【０１４１】
本発明の一実施形態において、第１のオーディオデータ及び第２のオーディオデータは、予め設定された一定フォーマットのデータおよび/または可変の内容を含む、伝送データを含むことを特徴とする。
【０１４２】
本発明の一実施形態において、取得モジュール602はさらに、送受信モジュール601により受信された第３のオーディオデータのフレームストリームに基づいて、電子署名キー600により使用される最適な変調方式と、装置500により使用される最適な変調方式と、を取得して、応答用オーディオデータを、電子署名キー600により使用される最適な変調方式によって変調し装置500に送信するためのものである。
【０１４３】
本発明の一実施形態において、第１のオーディオデータのフレームストリームと第２のオーディオデータのフレームストリームは、以下のように形成されている。伝送する第１のオーディオデータを、装置500の対応できる変調方式によってアナログ波形信号に変調して、第１のオーディオデータのフレームストリームを形成する。また、伝送する第２のオーディオデータを、電子署名キー600の対応できる変調方式によってアナログ波形信号に変調して、第２のオーディオデータのフレームストリームを形成する。
【０１４４】
なお、当該実施形態の電子署名キーの具体的な実施過程については、方法、システムの実施形態に係る第１のデバイスの動作過程を参照することができる。
【０１４５】
本発明の実施形態の電子署名キーによれば、携帯端末との間に迅速なデータ交換が実現され、交換速度が高められ、時間が節約される。また、交換中のデータのひずみ度が低減され、データ交換の品質が確保される。
【０１４６】
フローチャートにおいて又はここで他の方式で説明されたいずれかの過程あるいは方法については、以下のように理解することができる。特定の論理機能またはプロセスのステップを実現するための、一つ又は複数の実行可能な命令コードのモジュール、セグメント、または一部を含み、且つ、当業者にとって理解すべき点としては、本発明の好適な実施形態の範囲は、他の実施形態を含み、その中に、関係する機能に応じてほぼ同時の方式または逆の順番を含み、示した又は説明した順番に従って機能を実行しなくてもいい。
【０１４７】
フローチャートにおいてまたはここで他の方式で説明された論理および/またはステップは、例えば、論理機能を実現するための実行可能な命令の順序リストであると考えることができ、具体的に任意のコンピュータ可読媒体においても実現することができ、命令実行システム、装置、またはデバイス（例えば、コンピュータに基づいたシステムであり、プロセッサのシステム又は他の命令実行システム、装置、またはデバイスから命令を取得して実行するシステムを含む）により使用されるためのものであり、又はこれらの命令実行システム、装置、またはデバイスと組合せて使用するためのものである。本明細書では、「コンピュータ可読媒体」は、命令実行システム、装置、またはデバイスにより使用されるために、又はこれらの命令実行システム、装置、またはデバイスと組合せて使用するために、プログラムを含有、格納、通信、転送または伝送できるいずれかの装置であってもいい。コンピュータ可読媒体のより具体的な例示（不完全なリスト）は、一つ又は複数の配線を有する電気的接続部（電子装置）、ポータブルコンピュータディスケットカートリッジ（磁気装置）、ランダムアクセスメモリ（RAM）、読み出し専用メモリ（ROM）、消去再書き込み可能な読み出し専用メモリ（EPROMまたはフラッシュメモリ）、光ファイバーデバイス、およびポータブルコンパクトディスク読み取り専用メモリ（CDROM）を含む。また、コンピュータ可読媒体はさらに、その上に上記プログラムを印刷できる紙または別の適切な媒体であってもいい。それは、例えば、紙または他の媒体に光学走査を行ってから、編集、解釈または必要に応じて他の適当な方法によって処理して、電子的に上記プログラムを取得し、次いで、それをコンピュータメモリに格納することができるためである。
【０１４８】
理解すべき点として、本発明の各部分は、ハードウェア、ソフトウェア、ファームウェア、またはそれらの組み合わせで実現することができる。上記実施形態において、複数のステップ又は方法は、メモリに格納され且つ適切な命令実行システムにより実行されるソフトウェアまたはファームウェアで実現することができる。例えば、ハードウェアで実現する場合、他の実施形態と同様に、当該技術分野で公知の以下の技術におけるいずれか一つ又はそれらの組み合わせで実現することができる：データ信号に論理機能を実現するための論理ゲート回路を有するディスクリート論理回路、適切な組み合わせ論理ゲート回路を有する専用集積回路、プログラマブルゲートアレイ（PGA）、フィールドプログラマブルゲートアレイ（FPGA）などである。
【０１４９】
当業者にとって理解できるのは、上記実施形態の方法に係る全て又は一部のステップを実現するのは、プログラムが関係するハードウェアを命令することによって実現することができ、上記プログラムをコンピュータ読み取り可能な記憶媒体に格納することができる。当該プログラムを実行するとき、方法の実施形態のステップの一つまたはそれらの組み合わせを含む。
【０１５０】
また、本発明の各実施形態における各機能ユニットは、一つの処理モジュールに集積されてもよい、単独で物理的存在でもいい、また、二つ又は二つ以上のユニットが一つの処理モジュールに集積されてもよい。上記の集積のモジュールはハードウェアの形式で実現されてもいい、ソフトウェア機能モジュールの形式で実現されてもいい。上記の集積のモジュールがソフトウェア機能モジュールの形式で実現され且つ単独の製品として売られ又は使用されるとき、コンピュータ読み取り可能な記憶媒体に格納されてもいい。
【０１５１】
上記記憶媒体は、読み出し専用メモリ、ディスク又はCD-ROMなどであってもいい。
本明細書の説明において、用語の「一実施形態」、「一部の実施形態」、「例示」、「具体的な例示」、又は「一部の例示」などの言葉は、当該実施形態又は例示と合わせて説明された具体的な特徴、構成、材料又は特性が本発明の少なくとも一実施形態又は例示に含まれることを意味する。本明細書において、上記の用語の概略表現は必ずしも同じ実施形態又は例示を指さない。且つ、任意の一つ又は幾つの実施形態や例示において、説明された具体的な特徴、構成、材料又は特性を適当な方法で組み合わせることもできる。
【０１５２】
本発明の実施形態を示して説明したが、当業者にとって理解できるのは、本発明の原理と主旨から逸脱しない場合、これらの実施形態に対して様々な変更、修正、置換および変形をすることができる。本発明の範囲は添付の特許請求の範囲およびその均等物によって限定される。
【図１】
0005844948.tif 000002
【図２】
0005844948.tif 000003
【図３】
0005844948.tif 000004
【図４】
0005844948.tif 000005